【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
対象を表す名称として任意に設定した名称と、位置を示す第１の位置情報とを、対象の位置を示す第２の位置情報を該対象から取得して記憶手段に１以上記憶させる情報処理装置に対して送信する送信手段と、
前記送信手段が送信した名称と第１の位置情報とに基づいて、前記情報処理装置が前記記憶手段に記憶させた１以上の前記第２の位置情報から検索した１以上の第２の位置情報を、前記情報処理装置から受信する受信手段と、
を備えた通信装置。
【請求項２】
前記第２の位置情報は、前記対象が取得した位置情報であることを特徴とする請求項１に記載の通信装置。
【請求項３】
前記検索は、名称に対応する対象であってその位置が前記第１の位置情報に基づいた所定の領域に含まれる対象についての第２の位置情報を検索するものであることを特徴とする請求項１または２のいずれかに記載の通信装置。
【請求項４】
前記第１の位置情報に基づいた地図情報を受信する地図情報受信手段をさらに備えたことを特徴とする請求項１乃至３のいずれか一項に記載の通信装置。
【請求項５】
前記検索された１以上の第２の位置情報が示す位置が表示された地図情報を受信する第２の地図情報受信手段をさらに備えたことを特徴とする請求項１乃至４のいずれか一項に記載の通信装置。
【請求項６】
通信装置に、
対象を表す名称として任意に設定した名称と、位置を示す第１の位置情報とを、対象の位置を示す第２の位置情報を該対象から取得して記憶手段に１以上記憶させる情報処理装置に対して送信する送信ステップと、
前記送信ステップが送信した名称と第１の位置情報とに基づいて、前記情報処理装置が前記記憶手段に記憶させた１以上の前記第２の位置情報から検索した１以上の第２の位置情報を、前記情報処理装置から受信する受信ステップと、
を実行させることを特徴とする通信方法。
【請求項７】
前記第２の位置情報は、対象が取得した位置情報であることを特徴とする請求項６に記載の通信方法。
【請求項８】
前記検索は、名称に対応する対象であってその位置が前記第１の位置情報に基づいた所定の領域に含まれる対象についての第２の位置情報を検索するものであることを特徴とする請求項６または７のいずれかに記載の通信方法。
【請求項９】
前記第１の位置情報に基づいた地図情報を受信する地図情報受信ステップを、前記通信装置にさらに実行させることを特徴とする請求項６乃至８のいずれか一項に記載の通信方法。
【請求項１０】
前記検索された１以上の第２の位置情報が示す位置が表示された地図情報を受信する第２の地図情報受信ステップを、さらに前記通信装置に実行させることを特徴とする請求項６乃至９のいずれか一項に記載の通信方法。
【請求項１１】
通信装置を制御するコンピュータに、請求項６乃至１０の何れかに記載の通信方法の各ステップを実行させるためのプログラム。
【手続補正２】
【補正対象書類名】明細書
【補正対象項目名】発明の名称
【補正方法】変更
【補正の内容】
【発明の名称】通信装置、通信方法、及びプログラム
【手続補正３】
【補正対象書類名】明細書
【補正対象項目名】０００１
【補正方法】変更
【補正の内容】
【０００１】
本発明は、位置情報や地図情報の扱いにおいて利便性の高い通信装置、通信方法、及びプログラムに関する。
【手続補正４】
【補正対象書類名】明細書
【補正対象項目名】０００２
【補正方法】変更
【補正の内容】
【０００２】
ＧＰＳ（全地球測位システム）は、一般には、複数の人工衛星からの電波を受信し、その到達時間のずれから自分のいる緯度と経度等の地球上の位置情報を算出するシステムである。近年、ＧＰＳ機能を搭載した携帯電話機が多数開発されている。通信装置におけるＧＰＳの有効利用例としては、自装置の位置情報をＧＰＳ機能により取得し、ディスプレイの地図上に位置を表示する例がある。
【手続補正５】
【補正対象書類名】明細書
【補正対象項目名】０００３
【補正方法】変更
【補正の内容】
【０００３】
しかし、従来は、通信装置等における位置情報や地図情報の扱いにはまだまだ利便性に欠けるところがあった。
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】変更
【補正の内容】
【０００６】
本発明はかかる事情に鑑みてなされたものであり、位置情報や地図情報の扱いにおいて利便性の高い通信装置、通信方法、及びプログラムを提供することを目的とする。
【手続補正９】
【補正対象書類名】明細書
【補正対象項目名】０００７
【補正方法】変更
【補正の内容】
【０００７】
本発明の通信装置は、対象を表す名称として任意に設定した名称と、位置を示す第１の位置情報とを、対象の位置を示す第２の位置情報を該対象から取得して記憶手段に１以上記憶させる情報処理装置に対して送信する送信手段と、上記送信手段が送信した名称と第１の位置情報とに基づいて、上記情報処理装置が上記記憶手段に記憶させた１以上の上記第２の位置情報から検索した１以上の第２の位置情報を、上記情報処理装置から受信する受信手段とを備えた通信装置である。
上記第２の位置情報は、上記対象が取得した位置情報であってよい。
上記検索は、名称に対応する対象であってその位置が上記第１の位置情報に基づいた所定の領域に含まれる対象についての第２の位置情報を検索するものであってよい。
上記第１の位置情報に基づいた地図情報を受信する地図情報受信手段をさらに備えたものである。
上記検索された１以上の第２の位置情報が示す位置が表示された地図情報を受信する第２の地図情報受信手段をさらに備えたものである。
【手続補正１０】
【補正対象書類名】明細書
【補正対象項目名】０００８
【補正方法】変更
【補正の内容】
【０００８】
また、本発明の通信方法は、通信装置に、対象を表す名称として任意に設定した名称と、位置を示す第１の位置情報とを、対象の位置を示す第２の位置情報を該対象から取得して記憶手段に１以上記憶させる情報処理装置に対して送信する送信ステップと、上記送信ステップが送信した名称と第１の位置情報とに基づいて、上記情報処理装置が上記記憶手段に記憶させた１以上の上記第２の位置情報から検索した１以上の第２の位置情報を、上記情報処理装置から受信する受信ステップとを実行させることを特徴とする通信方法である。
上記第２の位置情報は、対象が取得した位置情報であってよい。
上記検索は、名称に対応する対象であってその位置が上記第１の位置情報に基づいた所定の領域に含まれる対象についての第２の位置情報を検索するものであってよい。
上記第１の位置情報に基づいた地図情報を受信する地図情報受信ステップを、上記通信装置にさらに実行させてもよい。
上記検索された１以上の第２の位置情報が示す位置が表示された地図情報を受信する第２の地図情報受信ステップを、さらに上記通信装置に実行させてもよい。
【手続補正１１】
【補正対象書類名】明細書
【補正対象項目名】０００９
【補正方法】変更
【補正の内容】
【０００９】
また、本発明は、通信装置を制御するコンピュータに、上記の通信方法の各ステップを実行させるためのプログラムも提供する。
【手続補正１２】
【補正対象書類名】明細書
【補正対象項目名】００１０
【補正方法】削除
【補正の内容】
【手続補正１３】
【補正対象書類名】明細書
【補正対象項目名】００１１
【補正方法】削除
【補正の内容】
【手続補正１４】
【補正対象書類名】明細書
【補正対象項目名】００１２
【補正方法】削除
【補正の内容】
【手続補正１５】
【補正対象書類名】明細書
【補正対象項目名】００１３
【補正方法】削除
【補正の内容】
【手続補正１６】
【補正対象書類名】明細書
【補正対象項目名】００１４
【補正方法】削除
【補正の内容】
【手続補正１７】
【補正対象書類名】明細書
【補正対象項目名】００１５
【補正方法】削除
【補正の内容】
【手続補正１８】
【補正対象書類名】明細書
【補正対象項目名】００１６
【補正方法】削除
【補正の内容】
【手続補正１９】
【補正対象書類名】明細書
【補正対象項目名】００１７
【補正方法】削除
【補正の内容】
【手続補正２０】
【補正対象書類名】明細書
【補正対象項目名】００１８
【補正方法】変更
【補正の内容】
【００１８】
本発明によれば、位置情報や地図情報の扱いにおいて利便性の高い通信装置、通信方法、及びプログラムを提供することが可能となる。
【手続補正２１】
【補正対象書類名】明細書
【補正対象項目名】００１９
【補正方法】削除
【補正の内容】